(57)【要約】【課題】上面開口部が底面部より大きな円錐状のテーパー缶に収納してもシワが生じることがなく、シール部に内容物が入り込んだりシール部が剥がれたりすることがなく、シート厚みが厚くならないので材料コストが安く、保存や輸送時に折りたためるような内袋を提供する。【解決手段】テーパー缶に収納するための内袋であって、上下辺２，３が円弧状で両側辺４，５が直線状の扇形のシート１の一方の側辺４付近の表面と他方の側辺５付近の裏面とを溶着して形成した円錐状の側面部材６と、該側面部材６の下端部を内側に折り曲げた表面に溶着された円形状の底面部材７とからなる缶用の内袋。【選択図】　　図１
2004035062.tif 000002
【特許請求の範囲】
【請求項１】
上面開口部が底面部より大きな円錐状の缶に収納する内袋であって、上下辺が円弧状で両側辺が直線状の扇形のシートの一方の側辺付近の表面と他方の側辺付近の裏面とを溶着して形成した円錐状の側面部材と、該側面部材の下端部を内側に折り曲げた表面に溶着された円形状の底面部材とからなる缶用の内袋。
【発明の詳細な説明】
【０００１】
【発明の属する技術分野】
この発明は、外容器としての缶の内部に収めた状態で各種液体や粉体の収納や輸送に使用する内袋、更に詳しくは上側開口部が下側底部より大きな円錐状の重ね置き用の缶に収納するための内袋に関するものである。
【０００２】
【従来の技術】
各種液体や粉体の収納保管や輸送を行なう場合、定形性を有し上面が開口した有底状の外容器を利用し、合成樹脂等の可撓性、気密性に優れた材料からなる筒状体の下端を底部で閉鎖した有底状の内袋を前記外容器内に挿入し、内袋の上端部を外容器の開口部外側に折り返し、外容器の上側開口部この内袋に各種液体や粉体等の流動体を収納して外容器の上面開口部を蓋等で閉鎖すれば、外容器の内壁を収納物で汚さず、かつ同内壁に先に付着していた液体や汚れと混ざることなく各種液体や粉体の保存や輸送を行なうことができる。
【０００３】
上記内袋の製法としては、通常、合成樹脂をインシュレーション法により図２に示すような筒状体１０を得て、この筒状体１０を内袋の側面部材として用い、一方端に同じく合成樹脂製の円形の底面部材（図示せず）を溶着等により接合し、缶とほぼ同様の形状の円形の底面部と上面開口部を有する筒状の内袋を得る。
【０００４】
また外容器としては金属、プラスチック等の定形性を有する円筒状の缶が主流であるが、近年、使用しない際の保管の利便性を考慮し、上面開口部の方が下側の底面部より大きな円錐状の缶、例えばバケツのような形状の缶（以下「テーパー缶」という）が用いられるようになってきた。
【０００５】
これらのテーパー缶は、内部から各種液体や粉体を取り出した後に、上面開口部に同形状の他のテーパー缶を収納するようにして上に重ねてゆけば、置き場所をあまり取らずに保管することができるという利点がある。
【０００６】
【発明が解決しようとする課題】
ところで、上記テーパー缶に通常の筒状の内袋を用いる際、缶の底面部と内袋の底面部の寸法を一致させた場合、上面開口部の周囲で内袋を折り返せなくなり、逆に上面開口部の寸法と内袋の寸法を一致させると、内袋の底面部が缶の底まで入り込まなくなってしまう。
【０００７】
そのため、これらのテーパー缶には、図３の（Ａ）〜（Ｃ）に示すような内袋を用いており、（Ａ）は筒状体１０の一方端部をシール部１１により閉鎖して底部としたもの、（Ｂ）は（Ａ）のシールした底を縛ったもの、（Ｃ）は缶の形状に合わせたテーパ状を有する２枚の平面シート１２を貼り合わせて周囲をシール部１１によりシールしたものである。
【０００８】
これらを缶に使用した場合、（Ａ），（Ｂ）のものはテーパー缶に収納した時、底面部および底面部付近の側面部で内袋にシワが生じてしまい、また（Ｃ）のものについても、テーパーを有して上部のほうが大きくなっているが、テーパー缶の内壁に完全に一致することはなくシワを生じるのを防ぐことができない。
【０００９】
内袋にシワが生じると、シワが生じた分だけ収納量が低下してしまうと共に、シワが内袋を出すときの抵抗となりスムーズに取り出すことができないという問題があった。
【００１０】
また、従来の有底状の内袋や図３で示した内袋で使用するシール部１１の構造は、図４に示すように互いのシートの端部を一致させ、シート端部から所定寸法までを溶着させてシール部１１とした構造であるが、この場合、袋小路状となった隙間に液体や粉体の残量が入り込んでしまい、内容物を使い切れないという問題があった。
【００１１】
更に、シール部１１については、内容物が液体の場合、内部からの圧力によりシール部１１を内側から剥がす方向に力が加わり、シール部１１が剥がれてしまうおそれがあった。
【００１２】
一方、真空成型や溶融成型などにより、缶の形状に合わせたテーパー形状を有する内袋を一体成型し、シール部が無く、かつ収納時にシワが生じたりすることがない内袋を製造する方法もある。
【００１３】
しかし、前者の真空成型は平面シートを真空により型引きして形成するもので、シート素材が部分的に延ばされてシート厚が薄くなる部分が生じるため、あまり薄いシートを使用できず、２００〜５００μｍの内袋としては比較的厚めの素材が必要であり、材料コスト的に高くつき、また、厚みがあるため未使用時に折りためないので、内袋のみの保存や輸送時に場所を取るという問題がある。
【００１４】
また、後者の溶融成型は、溶融した材料を型枠内で遠心力によりテーパーを有する筒状に成型するものであるが、これについても厚みの不均一が生じやすく、全体的に厚みを厚くする必要があるため前者と同様の問題を生じていた。
【００１５】
この発明は、上記のような課題を解決するためになされたものであり、テーパー缶に用いてもシワが生じることがなく、またシール部に内容物が入り込んだりシール部が剥がれたりすることがなく、更に、シート厚みが厚くならないので材料コストが安く、保存や輸送時に折りたためるような内袋を提供することを課題とする。
【００１６】
【課題を解決するための手段】
上記のような課題を解決するため、この発明は、上面開口部が底面部より大きな円錐状の缶に収納する内袋であって、上下辺が円弧状で両側辺が直線状の扇形のシートの一方の側辺付近の表面と他方の側辺付近の裏面とを溶着して形成した円錐状の側面部材と、該側面部材の下端部を内側に折り曲げた表面に溶着された円形状の底面部材とからなる缶用の内袋である。
【００１７】
扇形のシートを筒状に丸めて両側辺を溶着して円錐（の途中を切り取った）形状の筒からなる側面部材を形成し、円形状の底面部により側面部材の下面開口部を封鎖すれば、上面開口部が底面部より大きな円錐状の缶にフィットする内袋が得られ、これを同缶内に収納しても、内袋に寸法の余りによるシワが生じない。
【００１８】
また扇形のシートの両側辺及び側面部材と底面部材の接合は、一方の表面と他方の裏面を溶着しているので、溶着したシール部が袋小路にならない。
【００１９】
【発明の実施の形態】
図１（Ａ）はこの発明の内袋を形成する側面部材を構成する扇形のシート１を示すもので、可撓性、気密性を有する合成樹脂等からなる厚み約１００〜１５０μｍ程度の１枚の平面シートを、上辺２及び下辺３が円弧状で、両側辺４，５が直線状の略扇状に切り取ったシートである。
【００２０】
上辺２の円弧の寸法は、テーパー缶の上面開口部の円周寸法より若干大きめで、下辺３の円弧の寸法は、テーパー缶の下面底部の円周より若干大き目としておき、側辺４，５の長さは、テーパー缶の高さより若干大きめとしておく。
【００２１】
図１（Ｂ）に示すように、この扇形のシート１の両側辺４，５を一致させるように丸めて、一端側の側辺４の表面と他端側の側辺５の裏面とを合わせて全体を溶着してシールし、円錐の途中を切り取ったような形状の筒からなる側面部材６を形成する。
【００２２】
更に、側面部材６の底に同じく合成樹脂製の円板状の底面部７を溶着により接合するが、この際、円板状底面部７の周縁部の上面（裏面側）と前記側面部材６の下端部の表面側を下に折り返して合わせ、この部分を溶着してシールする。
【００２３】
こうすれば、テーパー缶の形状にフィットする形状の内袋が得られ、缶内部で内袋が余ることによるシワが生じない。
【００２４】
その後、内袋の上端部をテーパー缶の開口部外側に折り返して、テーパー缶を蓋等により封鎖すれば、各種液体や粉体の保管、輸送が可能になる。
【００２５】
図１（Ｃ）は扇形のシート１の一方の側辺４の表面と他方の側辺５の裏面を溶着したシール部８を示す断面図であり、図１（Ｄ）は側面部材６の下端部を内側に折り曲げた表面と底面部材７（の裏面）とを溶着したシール部９を示す断面図である。
【００２６】
これらのシール部８，９では、液体や粉体粒子が入り込むような隙間が生じていないので、内容物を取り出す際に全部の内容物を取り出すことができると共に、内袋内部に詰め込まれた液体等による内圧が高まっても、圧力がシール部８，９を引き剥がす方向に作用せず内袋のシール部８，９からの亀裂が生じて内容物が漏れ出すおそれがない。
【００２７】
【発明の効果】
以上のように、この発明の内袋によれば、テーパー缶の内側にフィットするので、テーパー缶の内側に収納した際にシワが生じることがなく、シワの発生による容量の低下やシワに入り込んだ内容物の取り出し困難に伴う作業性の低下がない。
【００２８】
また、溶着されたシール部の構造は袋小路のようにならないので、液体や粉体粒子が入り込まず、内容物が全て取り出すことができ、また、内容物の内圧によってもシール部に引き剥がし方向の力が加わらないのでシール部から剥れが生じて輸送や保管中に内容物がしみ出してしまうことがない。
【００２９】
更に、この内袋は平面シートを部分的に引き伸ばすことなしに製造でき、全体で均質な厚みが得られるので、厚みの薄い材料を用いることができ、使用しない時は折り畳んで収納することができる。
【図面の簡単な説明】
【図１】（Ａ）はこの発明の内袋の側面部材を構成するシートの平面図、（Ｂ）は側面部材と底面部材の分解斜視図、（Ｃ）及び（Ｄ）はシール部分の拡大断面図である。
【図２】従来の内袋の側面部材に使用する筒状体の斜視図である。
【図３】（Ａ），（Ｂ），（Ｃ）は従来の内袋の例を示す正面図である。
【図４】従来の内袋のシール部分の拡大断面図である。
【符号の説明】
１　　　扇形のシート
２　　　上辺
３　　　下辺
４，５　側辺
６　　　側面部材
７　　　底面部材
８，９　シール部
【図１】
2004035062.tif 000003
【図２】
2004035062.tif 000004
【図３】
2004035062.tif 000005
【図４】
2004035062.tif 000006